(57)【特許請求の範囲】
【請求項１】
デジタル加入者線（ＤＳＬ）のネットワークにおける送信のための電力レベルを割り当てるためにプロセッサによって実行される方法であって、前記方法は、
第１の地理的領域と第２の地理的領域を、前記ＤＳＬのネットワークにおける加入者線に関連付けられているものとして特定することと、
周波数の範囲上で第１の電力レベルの組を有する第１のスペクトルマスクを規定することと、ここにおいて、前記第１の電力レベルの組は、前記第１の地理的領域の無線周波数（ＲＦ）の環境に従って適合され、
前記周波数の範囲上の第２の電力レベルの組を有する第２のスペクトルマスクを規定することと、ここにおいて、前記第２の電力レベルの組は、前記第２の地理的領域のＲＦの環境に従って適合され、
前記加入者線のための送信スペクトルマスクを構築することと、ここにおいて、前記送信スペクトルマスクは、前記第１のスペクトルマスクと前記第２のスペクトルマスクの組み合わせに基づき、前記周波数の範囲における各周波数について、前記第１のスペクトルマスクと前記第２のスペクトルマスクからの前記周波数についての最小電力レベルを用いる、
とのステップを備えた方法。
【請求項２】
前記第１の地理的領域は、前記加入者線に関連付けられた第１のネットワーク要素を特定することによって特定され、
前記第２の地理的領域は、前記加入者線に関連付けられた第２のネットワーク要素を特定することによって特定される、
請求項１に記載の方法。
【請求項３】
前記第１のスペクトルマスクは、第１のノッチマスクであり、
前記第２のスペクトルマスクは、第２のノッチマスクであり、
前記送信スペクトルマスクは、前記第１のノッチマスクと前記第２のノッチマスクの組み合わせに基づく、
請求項２に記載の方法。
【請求項４】
永続性管理エンティティを介して、前記ネットワーク要素の任意の１つに前記送信スペクトルマスクを転送するステップを更に備え、
前記永続性管理エンティティは、前記送信スペクトルマスクのコピーを記憶するためにメモリを有する、
請求項３に記載の方法。
【請求項５】
第３の地理的領域を、前記加入者線に関連付けられているものとして特定することと、
前記周波数の範囲上で第３の電力レベルの組を有する第３のスペクトルマスクを規定することと、ここにおいて、前記第３の電力レベルの組は、前記第３の地理的領域のＲＦの環境に従って適合され、
前記送信スペクトルマスクは、前記第１のスペクトルマスクと前記第２のスペクトルマスクと前記第３のスペクトルマスクの組み合わせである、
請求項１に記載の方法。
【請求項６】
前記第３の地理的領域は、前記加入者線に関連付けられた第３のネットワーク要素を特定することによって特定される、請求項５に記載の方法。
【請求項７】
前記第１のスペクトルマスクは、第１のノッチマスクであり、
前記第２のスペクトルマスクは、第２のノッチマスクであり、
前記第３のスペクトルマスクは、第３のノッチマスクであり、
前記送信スペクトルマスクは、前記第１のノッチマスクと前記第２のノッチマスクと前記第３のノッチマスクの組み合わせに基づく、
請求項５または６のいずれか一項に記載の方法。
【請求項８】
前記送信スペクトルマスクを作成するステップは、
前記周波数の範囲における各周波数について、前記第１のスペクトルマスクと前記第２のスペクトルマスクと前記第３のスペクトルマスクからの前記周波数についての最小の電力レベルを使用することを含む、
請求項５ないし７のいずれか一項に記載の方法。
【請求項９】
コンピュータによって実行されたとき、前記コンピュータに、請求項１ないし８のいずれか一項に記載の方法のステップを実行させる、コンピュータが実行可能なコードを含むコンピュータプログラム。
【請求項１０】
デジタル加入者線（ＤＳＬ）のネットワークにおける送信のための電力レベルを割り当てる装置であって、前記装置は、
プロセッサであって、
第１の地理的領域と第２の地理的領域を、前記ＤＳＬのネットワークにおける加入者線に関連付けられているものとして特定し、
周波数の範囲上で第１の電力レベルの組を有する第１のスペクトルマスクと、前記周波数の範囲上の第２の電力レベルの組を有する第２のスペクトルマスクとを規定し、ここにおいて、前記第１の電力レベルの組は、前記第１の地理的領域の無線周波数（ＲＦ）の環境に従って適合され、ここにおいて、前記第２の電力レベルの組は、前記第２の地理的領域のＲＦの環境に従って適合され、
前記加入者線のための送信スペクトルマスクを構築し、ここにおいて、前記送信スペクトルマスクは、前記第１のスペクトルマスクと前記第２のスペクトルマスクの組み合わせに基づき、前記プロセッサは、前記周波数の範囲における各周波数について、前記第１のスペクトルマスクまたは前記第２のスペクトルマスクからの前記周波数についての最小電力レベルを用いることによって前記送信スペクトルマスクを構築する、
よう適合されたプロセッサ、
を備えた装置。
【請求項１１】
前記プロセッサは、
前記加入者線に関連付けられた第１のネットワーク要素を特定することによって前記第１の地理的領域を特定し、
前記加入者線に関連付けられた第２のネットワーク要素を特定することによって前記第２の地理的領域を特定する、
ように適合された、請求項１０に記載の装置。
【請求項１２】
前記第１のスペクトルマスクは、第１のノッチマスクであり、
前記第２のスペクトルマスクは、第２のノッチマスクであり、
前記送信スペクトルマスクは、前記第１のノッチマスクと前記第２のノッチマスクの組み合わせに基づく、
請求項１１に記載の装置。
【請求項１３】
永続性管理エンティティを介して、前記ネットワーク要素の任意の１つに前記送信スペクトルマスクを転送するための送信機を更に備え、
前記永続性管理エンティティは、前記送信スペクトルマスクのコピーを記憶するためにメモリを有する、
請求項１１または１２のいずれか一項に記載の装置。
【請求項１４】
前記プロセッサは、更に、第３の地理的領域を、前記加入者線に関連付けられているものとして特定するよう適合され、
前記プロセッサは、前記周波数の範囲上で第３の電力レベルの組を有する第３のスペクトルマスクを規定するよう構成され、
ここにおいて、前記第３の電力レベルの組は、前記第３の地理的領域のＲＦの環境に従って適合され、
前記送信スペクトルマスクは、前記第１のスペクトルマスクと前記第２のスペクトルマスクと前記第３のスペクトルマスクの組み合わせである、
請求項１０に記載の装置。
【請求項１５】
前記プロセッサは、前記加入者線に関連付けられた第３のネットワーク要素を特定することによって前記第３の地理的領域を特定するよう適合される、請求項１４に記載の装置。
【請求項１６】
前記第１のスペクトルマスクは、第１のノッチマスクであり、
前記第２のスペクトルマスクは、第２のノッチマスクであり、
前記第３のスペクトルマスクは、第３のノッチマスクであり、
前記送信スペクトルマスクは、前記第１のノッチマスクと前記第２のノッチマスクと前記第３のノッチマスクの組み合わせに基づく、
請求項１４または１５のいずれか一項に記載の装置。
【請求項１７】
前記プロセッサは、
前記周波数の範囲における各周波数について、前記第１のスペクトルマスクまたは前記第２のスペクトルマスクまたは前記第３のスペクトルマスクのいずれかからの前記周波数についての最小の電力レベルを使用することによって、前記送信スペクトルマスクを構築するよう適合される、
請求項１５ないし１６のいずれか一項に記載の装置。
【発明の詳細な説明】
【技術分野】
【０００１】
本発明は、デジタル加入者線（ＤＳＬ）ネットワークにおける送信に電力レベルを割り当てるための方法及び装置に関する。特に、本発明は、ＤＳＬネットワークにおける送信のための周波数の範囲にわたって電力レベルを割り当てるためのスペクトルマスクを使用することに関する。
【背景技術】
【０００２】
デジタル加入者線（Digital Subscriber Lines）、ＤＳＬ、は、デジタル通信を提供するための一般的な技術である。初期のＤＳＬ展開では、顧客の建屋へのブロードバンド接続は、交換局（米国の用語ではセントラルオフィス）と顧客の建屋のそれぞれに設けられた２つのＤＳＬモデム間の既存の撚り銅線ペア上をのびるＤＳＬ接続により提供された。ＤＳＬ技術が発展し、各ＤＳＬ接続の大部分は、ストリートキャビネット（ファイバー・ツー・ザ・ノード（Fibre-To-The-Node）配置用）、または、ドロップポイントユニット、ＤＰＵ（Drop Point Unit）（ファイバー・ツー・ザ・ＤＰ（Fibre-To-The-Dp）配置用）等、交換局とアクセスネットワーク内の他の要素の間に光ファイバーを敷設することによって、光ファーバーに置き換えられた。そして、ブロードバンド接続は、交換局からこの中間点までの光ファイバー接続からなり、顧客の建屋への銅線接続上のＤＳＬがそれに続く。いくつかの配置において、ブロードバンド接続は、顧客の建屋への全経路の光ファイバー接続（ファイバー・ツー・ザ・プレミスズ（Fibre-To-The-Premises）配置において）から構成された。
【０００３】
ＤＳＬネットワークは、いくつかの加入者線がファイバー・ツー・ザ・Ｘ（Fibre-to-the-X）のシナリオのいずれかにアップグレードされるように、特にこのためにアップグレードされてきた。ＤＳＬネットワークの要素間のＤＳＬ接続は、現在、一般的に、１つの束の中に銅、ファイバー・ツー・ザ・ノード、または、ファイバー・ツー・ザ・ＤＰの混成を備える複数の束の中に共にグループ化される。これは、束の中の異なるタイプの接続の間で干渉（クロストーク）の課題を生じ得る。例示的なシナリオでは、束は、交換局と顧客の建屋との間の銅線接続から成る第１の加入者線と、ストリートキャビネットから顧客の建屋までの銅線接続から成る第２の加入者線とを含む。このシナリオでは、第１の加入者線上の信号は、交換局からの銅線接続に沿って送信され、第２の加入者線上の信号は、ストリートキャビネットからの銅線接続に沿って送信される。従って、ストリートキャビネットからの送信電力レベルが、第１の加入者線上の信号の減衰レベルを考慮して、低減されなければならない。そうでなければ（即ち、２つの信号が同じ電力レベルで送信されたとした場合）、第２の加入者線上の信号は、第１の加入者線上の大量のクロストークを引き起こす。従って、ネットワークオペレータは、ＤＳＬネットワークにおける送信のための送信電力レベルを規定する。これは、送信における各周波数についての電力レベルを規定する、「スペクトルマスク（spectral mask）」の形態である。これらのスペクトルマスクは、ＤＳＬ接続の各形式のための標準化団体によって定義されており（例えば、ＡＤＳＬ２＋のためのＩＴＵ−Ｔ勧告Ｇ．９９２．５、及び、Ｇ．ｆａｓｔのためのＩＴＵ−Ｔ勧告Ｇ．９７００）、ＤＳＬネットワーク内の全ての加入者線に適用される。
【０００４】
ここで、スペクトルマスクは、Ｇ．９７００規格に記載されているようなＧ．ｆａｓｔ接続用のスペクトルマスクを特に参照して、より詳細に説明される。送信電力スペクトル密度、ＰＳＤ（Power Spectral Density）、のマスク（ＴｘＰＳＤＭ）は、Ｇ．ｆａｓｔトランシーバのための特定の周波数における送信信号の最大可能ＰＳＤである。ＴｘＰＳＤＭは、ＴｘＰＳＤＭの絶対最大限度を特定するリミットＰＳＤマスク（limit PSD mask：ＬＰＭ）の混成であり、一方、サブキャリアマスク（sub-carrier mask：ＳＭ、ＰＳＤ形状マスク（PSD shaping mask：ＰＳＭ）、ノッチマスク（notching mask：ＮＭ）、低周波エッジストップバンドマスク（low-frequency edge stop-band mask：ＬＥＳＭ）が、ＴｘＰＳＤＭを生成するためにＬＰＭのレベルを形作り、低下させる。
【０００５】
ノッチマスクは、特定の周波数帯域のための電力レベルを無視できる量に低減させることにより、当該特定の周波数帯域を「ノッチアウトする（切欠く）（notching out）」ことが可能である。これは、送信が、ローカルＦＭ、ＤＡＢ、航空、海上、または、軍用の無線等の他の無線周波数、ＲＦ（Radio Frequency）のサービスと干渉しないことを確実にするために使用される。これは、より高い周波数（他のＤＳＬ技術と比較して）が、より大きなレベルの電磁漏洩から害を被り、同一のＲＦスペクトルをいくつかのＲＦサービスと共用するので、Ｇ．ｆａｓｔ送信にとって特に関連する。
【０００６】
従って、ネットワークオペレータは、特定の形式の全ての接続用の単一のＴｘＰＳＤＭ（例えば、ＤＳＬネットワーク内の全てのＧ．ｆａｓｔ接続用のＴｘＰＳＤＭ、及び、ＤＳＬネットワーク内の全てのＶＤＳＬ２接続用のＴｘＰＳＤＭ）を選択する。新しい接続が設定される場合、接続のその形式用の特定のＴｘＰＳＤＭが、その接続上のすべての送信のために使用される。
【０００７】
本発明は、ＤＳＬネットワークにおける送信に電力レベルを割り当てる既存の方法が改善され得ることを達成した。
【発明の概要】
【０００８】
本発明の第一の態様によれば、デジタル加入者線、ＤＳＬ、のネットワークにおける送信のために電力レベルを割り当てる方法が提供され、該方法は以下のステップを備える：
ＤＳＬネットワークにおける加入者線に関連付けられるものとして、第１及び第２の地理的領域を特定すること、
周波数の範囲上の第１の電力レベルの組を有する第１のスペクトルマスクを規定すること、ここにおいて、第１の電力レベルの組は、第１の地理的領域の無線周波数、ＲＦ、の環境に従って適合される、
周波数の範囲上の第２の電力レベルの組を有する第２のスペクトルマスクを規定すること、ここにおいて、第２の電力レベルの組は、第２の地理的領域のＲＦの環境に従って適合される、
加入者線のための送信スペクトルマスクを構築すること、ここにおいて、送信スペクトルマスクは、第１と第２のスペクトルマスクの組み合わせに基づき、構築することは、周波数の範囲における各周波数について、第１と第２のスペクトルマスクからの当該周波数についての最小の電力レベルを使用することを含む。
【０００９】
従って、本発明は、加入者線のＲＦの環境において使用される周波数をノッチアウトするだけで、加入者線用のテーラーメイドの送信スペクトルマスクを提供し得る。このように、送信スペクトルマスクは、加入者線とその関連のネットワーク要素の場所における他のＲＦサービスと干渉する現実的な可能性を持つ周波数についての電力レベルを低減するだけである。これは、任意のＲＦサービスが干渉される可能性があるようになろうとしているかどうかにかかわらず、個々の線上の全ての周波数について電力レベルを低減する従来の方法に対して、増加されたスペクトル利用（従って、増加された帯域幅とデータレート）を提供する。
【００１０】
更に、本発明の方法は、加入者線に関連付けられたいっそう局所化された地理的領域の階層を特定し、それらの領域のＲＦの環境に適合されたスペクトルマスクを組み合わせることによって、送信スペクトルマスクを構築することができる。これは、各加入者線のための送信スペクトルマスクを個々に計算する処理の複雑さなしに、ＤＳＬネットワーク内のエンティティが、あつらえの送信スペクトルマスクを作成するために、スペクトルマスクを効果的に重ねることを可能にする。
【００１１】
第１の地理的領域は、加入者線に関連付けられている第１のネットワーク要素を特定することによって特定され得、第２の地理的領域は、加入者線に関連付けられている第２のネットワーク要素を特定することによって特定され得る。
【００１２】
第１のスペクトルマスクは、第１のノッチマスクであってよく、第２のスペクトルマスクは、第２ノッチマスクであってよく、送信スペクトルマスクは、第１と第２のノッチマスクの組み合わせに基づき得る。
【００１３】
更に、方法は、以下のステップを含み得る：
また加入者線に関連付けられているものとして第３の地理的領域を特定すること、ここにおいて、第３の地理的領域は、第２の地理的領域に比べてより局所化されている、
周波数の範囲上の第３の電力レベルの組を有する第３のスペクトルマスクを規定すること、ここにおいて、第３の電力レベルの組は、第３の地理的領域のＲＦの環境に従って適合される、
送信スペクトルマスクは、第１、第２、及び、第３のスペクトルマスクの組み合わせであってよい。
従って、本発明の方法は、また、加入者線に関連付けられている、交換局、ドロップポイントユニット、及び、顧客宅内機器をカバーする地理的地域等の３つの地理的領域に基づいて送信スペクトルマスクを作成し得る。
【００１４】
第３の地理的領域は、加入者線に関連付けられている第３のネットワーク要素を特定することによって特定され得る。第３のスペクトルマスクは、第３のノッチマスクであってよく、送信スペクトルマスクは、第１、第２、及び、第３のノッチマスクの組み合わせに基づき得る。
【００１５】
方法は、更に、ネットワーク要素のいずれか１つから、送信スペクトルマスクの要求を受信する開始ステップを備える。従って、本発明の方法は、例えば、ネットワーク要素のいずれか１つから要求を受信することに応答して送信スペクトルマスクを構築し得る、ＤＳＬネットワーク内の専用ノード上で実行され得る。
【００１６】
方法は、更に、永続性管理エンティティを介してネットワーク要素のいずれか１つに送信スペクトルマスクを転送するステップを備え、永続性管理エンティティは、送信スペクトルマスクのコピーを記憶するためのメモリを有する。従って、送信スペクトルマスクは、バックアップ目的のために、永続性管理エンティティ（常に給電され得る）に記憶され得る。従って、送信スペクトルマスクは、それが電力逸失イベントにつづいて電源投入したら、ドロップポイントユニットに利用可能になる。
【００１７】
従って、本発明の方法は、スペクトルマスクの任意の１つからの最小電力レベルに電力レベルを有利に低減させ得る。これは、スペクトルのその部分を依然として使用するが、他のＲＦサービスと干渉するリスクがないとの追加の利点を有する。
【００１８】
また、コンピュータ上で実行されるとき、コンピュータに、本発明の第１の態様の方法のステップを実行させるコンピュータが実行可能なコードを含むコンピュータプログラムが提供される。
【００１９】
本発明の第２の態様によれば、デジタル加入者線、ＤＳＬ（Digital Subscriber Line）、のネットワークにおける送信のために電力レベルを割り当てるための装置が提供され、装置は以下を備える：
ＤＳＬネットワークにおける加入者線に関連付けられているものとして、第１と第２の地理的領域を特定するように適合されて特定器、
周波数の範囲上の第１の電力レベルの組を有する第１のスペクトルマスクと周波数の範囲上の第２の電力レベルの組を有する第２のスペクトルマスクとを規定するよう適合されたプロセッサ、ここにおいて、第１の電力レベルの組は、第１の地理的領域の無線周波数、ＲＦ（Radio Frequency）、の環境に従って適合され、第２の電力レベルの組は、第２の地理的領域のＲＦの環境に従って適合され、
加入者線のための送信スペクトルマスクを構築するよう適合されたマスク構築器、ここにおいて、送信スペクトルマスクは第１と第２のスペクトルマスクの組み合わせに基づき、マスク構築器は、周波数の範囲における各周波数について、第１または第２のスペクトルマスクからの当該周波数についての最小の電力レベルを使用することによって、送信スペクトルマスクを構築するように適合される。
【００２０】
特定器は、加入者線に関連付けられている第１のネットワーク要素を特定することにより、第１の地理的領域を特定し、加入者線に関連付けられている第２のネットワーク要素を特定することにより、第２の地理的領域を特定するように適合され得る。
【００２１】
第１のスペクトルマスクは、第１のノッチマスクであってよく、第２のスペクトルマスクは、第２のノッチマスクであってよく、送信スペクトルマスクは、第１と第２のノッチマスクの組み合わせに基づき得る。
【００２２】
マスク構築器は、周波数の範囲内の各周波数についての第１または第２のスペクトルマスクのいずれかからの最小電力レベルを使用することによって、送信スペクトルマスクを構築するように適合され得る。
【００２３】
装置は、更に、永続性管理エンティティを介してネットワーク要素の任意の１つに送信スペクトルマスクを転送するための送信器を備え、永続性管理エンティティは、送信スペクトルマスクのコピーを記憶するためのメモリを有する。
【００２４】
特定器は、更に、加入者線にまた関連付けられるものとして第３の地理的領域を特定するよう適合され得、プロセッサは、周波数の範囲上の第３の電力レベルの組を規定するよう適合され得、ここにおいて、第３の電力レベルの組は、第３の地理的領域のＲＦの環境に従って適合され、送信スペクトルマスクは、第１、第２、及び、第３のスペクトルマスクの組み合わせであり得る。
【００２５】
本発明が、Ｇ．ｆａｓｔ ＤＳＬネットワークのための送信スペクトルマスクを構築し得るように、ネットワーク要素の１つは、ドロップポイントユニットであってよい。これは、多くの他のＲＦサービスと重複するＧ．ｆａｓｔにおいて使用される周波数の範囲と、これらの周波数によって経験される電磁漏洩のレベルとにより、特に適切な用途である。しかし、本発明は、また、ＤＳＬネットワークの他の形式のための送信スペクトルマスクを構築してもよい。
【００２６】
ここで、本発明がより良く理解されるように、その実施形態が、添付の図面を参照して、単なる例として、記載される。
【図面の簡単な説明】
【００２７】
【図１】図１は、本発明の実施形態の交換局、永続管理エンティティ、ドロップポイントユニット、顧客宅内機器、及び、マスク構築器を含むデジタル加入者線ネットワークの概観である。
【図２】図２は、図１の永続管理エンティティ、ドロップポイントユニット、顧客宅内機器、及び、マスク構築器の様々なモジュールを示す概略図である。
【図３】図３は、本発明の実施形態の方法を示すフロー図である。
【図４】図４は、本発明の実施形態の第１、第２、及び、第３のレベルスペクトルマスク、並びに、組み合わされたノッチマスクのグラフィカル表現である。
【詳細な説明】
【００２８】
ここで、本発明のデジタル加入者線、ＤＳＬ（Digital Subscriber Line）、のネットワーク１は、図１と２を参照して記載される。図１は、交換局１０、永続管理エンティティ、ＰＭＥ（Persistent Management Entity）、２０、ドロップポイントユニット、ＤＰＵ（Drop-Point Unit）、３０、及び、顧客宅内機器、ＣＰＥ（Customer’s Premises Equipment）、４０を含むＤＳＬネットワーク１の概観を示す。交換局１０、ＰＭＥ２０、ＤＰＵ３０、及び、ＣＰＥ４０は、全て、交換局１０からＤＰＵ３０までの光ファイバー部１６と、ＤＰＵ３０からＣＰＥ４０までの銅線部１５とから成る加入者線によって接続される。当業者は、交換局１０は、ＰＭＥ２０、及び、ＤＰＵ３０が、通常、ＤＳＬネットワーク階層を下って、ネットワーク要素と１対多の関係を有するが、簡略化のために、この記載では、１対１のマッピングが用いられていることを理解するであろう。
【００２９】
また、図１は、この実施形態において、ＰＭＥ２０に接続されたマスク構築器５０を示す。図２に詳細に示されるように、マスク構築器５０は、プロセッサ５１、マスクデータベース５３（第１レベルのマスクデータベース５３ａ、第２レベルのマスクデータベース５３ｂ、及び、第３レベルのマスクデータベース５３ｃを含む）を含む。また、マスク構築器５０は、ＤＳＬネットワーク１における各加入者線とそれらの関連するネットワーク要素についての情報を記憶する明細データベース５５と、様々な地理的領域の無線周波数、ＲＦ（Radio Frequency）、の環境についての情報を記憶するＲＦの情報データベース５７とへの外部接続を含む。また、マスク構築器５０は、以下でより詳細に説明される方法を介して、加入者線に沿って送信するための送信スペクトルマスクを構築することができる。
【００３０】
ＰＭＥ２０は（また、永続性管理エージェントとしても知られている）、ＤＰＵ３０から（加入者線の光ファイバー部１６と交換局１０を介してだけでなく、論理接続１７上でも）の送信スペクトルマスクの要求を受信し、マスク構築器５０に転送し、マスク構築器５０からの送信スペクトルマスクを、プロセッサ２１を介して、ＤＰＵ３０とＣＰＥ４０に転送するよう構成される。また、ＰＭＥ２０は、メモリ２３に、電力逸失の場合にＤＰＵ３０を再構成するために使用され得る、送信スペクトルマスクを記憶することができる。この実施形態では、出願人の英国特許出願番号第１３１６０５３．６（代理人番号：Ａ３２５８５）により詳細に説明されるように、ＰＭＥ２０は、概括的に、ＤＰＵ３０に関するメトリックデータを記憶するために使用される。ＰＭＥ２０は、ＤＰＵ３０（逆電力が供給されてもよい）より信頼性の高い電源を有するので、ＤＰＵ３０が電源を失った場合に、重要なメトリックデータ（送信スペクトルマスク等）のためのバックアップまたはプロキシとして動作し得る。
【００３１】
ＤＳＬネットワーク１は、いくつかの無線送信機の無線カバレッジ領域内に共存する。これは、ＤＳＬネットワーク１の全てのネットワーク要素を包含するカバレッジ領域を有するリージョナル無線送信機と、ＤＰＵ３０とＣＰＥ４０を包含するカバー領域を有する第１のローカル無線送信機（Ａ）と、加入者線のどの部分もカバーしないカバレッジ領域を有する第２のローカル無線送信機（Ｂ）と、顧客の宅内のカバレッジ領域を有するホームＲＦ送信機とを示す図１に図示されている。この実施形態では、顧客の宅内は」、離れた場所からのアマチュア無線放送を受信するように構成されたＲＦ受信機（図示されず）を有する。
【００３２】
図２に戻って、ＣＰＥ４０とＤＰＵ３０は、各々、Ｇ．ｆａｓｔトランシーバ４１，３１を備え、それらは、加入者線１５の銅線部分上のＧ．ｆａｓｔ送信を可能にする。ＤＰＥ３０は、更に、マスク構築器（５０）から（ＰＭＥ２０を介して）送信スペクトルマスクを受信するよう構成されたＤＰＵ管理モジュール３３を含む。送信スペクトルマスクは、加入者線１５上でのＧ．ｆａｓｔトランシーバ３１からＧ．ｆａｓｔトランシーバ４１への全ての送信のためのトーン・バイ・トーンベースでの送信電力レベルを規定するためにＤＰＵ管理モジュール３３によって使用される。従って、ＤＰＵ管理モジュール３３は、Ｇ．ｆａｓｔトランシーバ３１が各周波数についての最大送信電力レベルを決して超えないことを確実にするために、各送信について、Ｇ．ｆａｓｔトランシーバ３１を制御し得る。
【００３３】
この実施形態では、ＣＰＥ４０は、また、マスク構築器５０から（ＰＭＥ２０とＤＰＵ３０を介して）送信スペクトルマスクを受信するよう構成される、ＣＰＥ管理モジュール４３を含む。再び、送信スペクトルマスクは、加入者線１５上でのＧ．ｆａｓｔトランシーバ４１からＧ．ｆａｓｔトランシーバ３１への全ての送信のためのトーン・バイ・トーンベースでの送信電力レベルを規定するために、ＣＰＥ管理モジュール４３によって使用され、各送信は、各周波数についての最大送信電力レベルを決して超えない。
【００３４】
マスク構築器５０は、階層に分割された第１、第２、及び、第３レベルのデータベース５３ａ、５３ｂ、５３ｃを含む、マスクデータベース５３を含む。マスクデータベース５３内の各マスクの構築は、以下でより詳細に説明される。概括的なレベルでは、マスクは、特定の領域における他のＲＦサービスの周波数利用に基づく。本実施形態では、マスクデータベースの第１、第２、及び、第３のレベルは、大きさにおいて減少する領域の階層に基づき、第１のマスクデータベースはより大きな地理的領域に関連付けられ、第３のマスクデータベースは最小の地理的領域に関連付けられる。各マスクは、当該地理的領域にわたって使用されるＲＦサービスに従って適合される電力レベルを規定する。
【００３５】
これらのマスクは、当該領域のための特定器と共に、マスクデータベース５３におけるノッチマスクとして記憶される。この実施形態では、各マスク（従って、それがカバーする領域）は、当該領域における特定のネットワーク要素によって特定され、各第１レベルのマスクは特定の交換局によって特定され、各第２レベルのマスクは特定のＤＰＵによって特定され、各第３レベルのマスクは特定のＣＰＥによって特定される。
【００３６】
ここで、加入者線のための送信スペクトルマスクの構築が、図３と４を参照して説明される、第１のステップ（ステップＳ１）において、ＤＰＵ３０は初期状態にあり、ＰＭＥ２０からの送信スペクトルマスクを要求する。この要求は、ＤＰＵ識別子を含み、マスク構築器５０のプロセッサ５１に、ＰＭＥ２０のプロセッサ２１によって転送される（ステップＳ２）。
【００３７】
マスク構築器５０のプロセッサ５１は、この要求に応答して、当該ＤＰＵ２０に関連付けられた各線のための送信スペクトルマスクを準備するように構成される。ステップＳ３では、プロセッサ５１は、当該ＤＰＵ２０に関連付けられる各加入者線を特定し、ステップＳ４で、各加入者線に関連付けられる各ネットワーク要素を特定する。（プロセッサ５１は、通常、ＤＰＵと関連付けられるいくつかの加入者線とそれらに対応するネットワーク要素を特定するが）、この例では、プロセッサ５１は、単一の加入者線と、当該加入者線に関連付けられる交換局１０、ＤＰＵ３０、及び、ＣＰＥ４０を特定する。これらの特定ステップは、ネットワークとその関連するネットワーク要素における各加入者についての情報で定在されている外部の明細５５（これは、通常、線が作動されるときに、ネットワークオペレータによって定在される）における関連情報を検索して、プロセッサ５１によって達成される。
【００３８】
マスク構築器５０のプロセッサ５１が、ＤＰＵ３０の各加入者線に関連付けられたネットワーク要素を特定すると、それは、次に、加入者線とその関連するネットワーク要素の各々からのＲＦ漏洩によって影響され得る領域を決定し得る。図１に示されるように、プロセッサ５１は、加入者線を取り囲む潜在的なＲＦ漏洩の領域を決定する。当業者は、ＲＦ漏洩のほとんどが、加入者線の銅線部分１５、ＤＰＵ３０、及び、ＣＰＥ４０の周囲で発生することを理解する。そして、プロセッサ５１は、マスクデータベース５３から、この特定の領域のためのノッチマスクを取り出し得る。
【００３９】
従って、プロセッサ５１は、第１レベルのデータベース５３ａから第１のレベルのノッチマスクを取り出す。これは、この実施形態において、交換局１０の識別子を含む要求を送り、そして、当該交換局の領域のための対応するノッチマスクを取り出す、プロセッサ５１によって達成される。このノッチマスクは、全国的なＲＦサービスまたは加入者線が基づく領域全体において使用されるＲＦサービス（例えば、図１のリージョナル無線送信機によって使用されるＲＦサービス）等の非常に大きい領域上で使用される他のＲＦサービスによって使用される周波数に対応するノッチを含むだけである。
【００４０】
プロセッサ５１は、また、第２レベルのデータベース５３ｂから第２レベルのマスクを取り出す。これは、この実施形態において、ＤＰＵの領域のための対応するノッチマスクを取り出す、第２レベルのデータベース５３ｂにＤＰＵ３０の識別子を含む要求を送るプロセッサ５１により達成さる。第２レベルのマスクは、ＤＰＵ３０の周囲の領域で使用されるノッチ等、よりローカルなレベルで使用される周波数（例えば、ローカル無線送信機Ａにより使用されるが、ローカル無線送信機Ｂによっては使用されない周波数）についてのノッチを含む。また、この実施形態では、ＤＰＵの領域のためのマスクは、遠隔のアマチュア無線により使用される周波数のためのノッチを含む。
【００４１】
この実施形態では、プロセッサ５１は、また、第３レベルのデータベース５３Ｃから第３レベルのノッチマスクを取り出す。第３レベルのノッチマスクは、顧客の宅内で使用される周波数（例えば、ホームＲＦ送信機）についてのノッチを含む。
【００４２】
より複雑な構成では、各領域は、より小さな領域の格子を含んでもよく（各第１レベルの領域は、いくつかの複第３レベルの領域を含む、いくつかの第２レベルの領域を含むように）、プロセッサ５１は、加入者線に関連付けられるネットワーク要素と加入者線が通り抜ける各ネットワーク要素間の領域とに基づいて、加入者線に関連付けられる各領域を計算するように構成され得る。マスクデータベース５３は、各領域のＲＦの環境に特有のノッチマスクを含み得、プロセッサ５１は、加入者線が通り抜ける各領域のための識別子をマスクデータベース５３に送ることによって、各ノッチマスクを取り出すことができる。
【００４３】
多くの加入者線を有するシナリオでは、プロセッサ５１は、ＤＰＵ３０の各加入者線のためのノッチマスクを取り出す。
【００４４】
プロセッサ５１がこれらのノッチマスクを受信すると、それは、これらのノッチマスクの各々の組み合わせに基づいて、加入者線のための送信スペクトルマスクを構築し得る（ステップＳ７）。この実施形態では、プロセッサ５１は、第１、第２、及び、第３レベルのノッチマスクの各々の組み合わせに基づいて、組み合わされたノッチングマスクを作成し、送信スペクトルマスクを作成するために、この組み合わされたノッチングマスクを制限ＰＳＤマスクと共に適用する。組み合わされたノッチマスクを作成するこのプロセスは、第１、第２、及び、第３レベルのノッチマスク、並びに、結果としてのノッチマスクを図示する図４により詳細に示される。この実施形態では、プロセッサ５１は、最小限の機能を使用することによって送信スペクトルマスクを構築するよう構成される。従って、周波数の範囲内の各周波数について、ノッチマスクは、交換局、ＤＰＵ、または、ＣＰＥのノッチマスクから、当該周波数についての最小電力を使用する。
【００４５】
ＤＰＵ３０がより多くの加入者線を含むシナリオでは、（各加入者線の領域のためのノッチマスクに基づいた）各加入者線のための送信スペクトルマスクは、同じ方法を用いて構築される。
【００４６】
そして、マスク構築器５０のプロセッサ５１は、各加入者線のための送信スペクトルマスクをＤＰＵ３０に転送する。送信スペクトルマスクは、従って、バックアップ目的のためにメモリ２３にローカルコピーを記憶するＰＭＥ２０を介して転送される。ＤＰＵ３０は、ポートアクティベーションの準備ができてＤＰＵ管理モジュールにおいて送信スペクトルマスクを受信する（また、コピーをメモリに記憶する）（ステップＳ７）。
【００４７】
動作のトレーニングフェーズ（ステップＳ８）の間、ＤＰＵ３０は、また、送信スペクトルマスクを、ＣＰＥ管理モジュール４３に送る（メモリに記憶されてもよい）。そして、ＤＰＵ３０とＣＰＥ４０は、送信電力レベルが送信スペクトルマスクにおいて指定された電力レベルを超えないように、加入者線１５上のそれらの送信を構成する。
【００４８】
この実施形態では、ＤＰＵ３０は、所定の時間期間（例えば、７日）の後、送信スペクトルマスクを更新するように構成される。従って、ＤＰＵ３０は、新しいノッチマスクのための新しい要求を送信するように構成され、上記概観されたステップを繰り返す。マスクデータベースにおけるマスクの任意の１つが更新されている場合（以下でより詳細に説明される）、そのとき、ＤＰＵ３０とＣＰＥ４０は、再トレーニングフェーズの間に加入者線に適用され得る更新された送信スペクトルマスクを受信する。別の構成では、プロセッサ５１は、マスクデータベース５３が更新されたことを検出するように構成されていることを検出するよう構成され、次に、更新されたノッチマスクを自動的に作成し、更新された送信スペクトルマスクを関連するＤＰＵにプッシュし得る。そして、ＤＰＵは、次の再トレーニングフェーズの間に、更新された送信スペクトルマスクを適用することができる。
【００４９】
従って、本発明は、当該線のＲＦの環境に適合される、線毎のベースで送信スペクトルマスクを作成することにより、ＤＳＬネットワークにおける送信に電力レベルを割り当てる方法を提供する。すなわち、本発明は、そうでなければ、加入者線とその関連するネットワーク要素からの電磁漏洩によって影響されたであろう周波数を正確に特定し、これらの周波数だけがノッチアウトされた送信スペクトルマスクを作成する。これは、ＤＳＬネットワーク、及び、ＲＦスペクトルを使用する任意の他のシステムの両方に重要な技術的利点を有する。先行技術では、ノッチマスクは、ＲＦ周波数の大きな範囲のための電力レベルを低減する制限ＰＳＤマスクに適用される。しかし、これらの周波数は全ての場所に用いられ得ず、このスペクトルは多くの分野で実際に使用されておらず、従って、ＤＳＬネットワークのために利用可能ではんない。従って、本発明の方法は、当該線のＲＦの環境のために構築される送信スペクトルマスクを使用することによって、他のＲＦサービスへの干渉を引き起こすことなく、スペクトルのより大きな部分を利用する。
【００５０】
更に、本発明は、一連のノッチマスクを重ねることによってこの目的を達成し、ここにおいて、マスクの各層は、加入者線の地理的領域にとってより特有である周波数をノッチアウトする。従って、第１レベルのマスクは、より大きな地理的領域上で使用されるノッチを含み、第２レベルのマスクは、より小さい地理的領域上で使用されるノッチを含み、第３レベルのマスクは、更により小さな地理的領域上で使用されるノッチを含む。このように、本発明は、当該線に特有であるその線のための全体のノッチマスクを作成するが、ＲＦ漏洩のその領域を特定することと、当該線への特有性を増す対応するマスクを重ねることを含むのみである。従って、マスクを構築するこの方法は、各線のためのスペクトルマスクを構築する計算の複雑さを低減する。従って、本発明は、スペクトルの潜在的な逸失（不正確なノッチマスクによる）を、計算の複雑さ（線のための完全なノッチマスクを生成することの）とのバランスをとる。
【００５１】
第１、第２、及び、第３レベルのノッチマスクを構築する方法が記載される。原則として、各マスクは、特定の地理的領域をカバーする他のＲＦサービスの周波数利用に基づく。
【００５２】
第１レベルのマスクを作成するために、マスク構築器は、ノッチマスクを構築する際に全国的及びリージョナル（地域的）要因を使用することがでる。例えば、マスク構築器５０は、全国的なレベルで、または、特定の領域にわたって、何の周波数が他のＲＦサービスによって使用されているかを決定するために、スペクトルマップ（一般的には、英国のＯｆｃｏｍ等の国家通信規制当局によって発行される）を使用し得る。これらの周波数が、本当に、ＤＳＬネットワークによって干渉されるというリスクがあることを確実にするために、マスク構築器５０は、これらの他のＲＦサービスのための送信機の場所と伝播モデル（即ち、空気を通した信号の逆二乗減衰と、地理的な障害物によるより大きなレベルの減衰とを考慮する）を使用し得、これらの送信機との干渉を避けるために第１レベルのノッチマスクの電力レベルについて必要とされる低減の度合い、または、電力レベルが少しでも低減される必要があるか否かを決定する。
【００５３】
従って、マスクデータベース５３は、各々が特定の領域のためであり、当該特定の領域において使用される周波数のみを含む、複数の第１レベルのマスクを含む。各第１レベルのマスクは、対応する識別子と共に、第１レベルのデータベース５３ａに記憶され得る。一実施形態では、地理的領域は、特定の交換局のための各加入者線を包含する領域をカバーし得る。従って、この領域のためのノッチマスクは、この領域で使用される周波数をカバーし、識別器として特定の交換局を使用することができる。
【００５４】
第２レベルのマスクを作成するために、マスク構築器５０は、再び、何の周波数が他のＲＦサービスによって使用されるかを決定するために、国家通信規制当局からのスペクトルマップを使用し得る。しかし、第２レベルのマスクによってカバーされる領域は、第１レベルのマスクよりも小さいので、マスク構築器５０は、それらの周波数に本当にリスクがあるかを決定するために、領域の中の送信機からの伝播モデルのより詳細な分析を行い得る。更に、マスク構築器５０は、また、任意の他の周波数が、ローカルＲＦサービスに影響がないことを確実にするために低減される必要があるかを決定するために、ローカル無線周波数のデータベースを調べ得る。これはアマチュア無線ライセンス帯や衛星アップリンク（例えば、電波天文受信機）を含んでよい。他の方法では、領域のＲＦの環境は、何の無線周波数が領域で使用されているかを正確に決定するために、直接測定され得る。
【００５５】
上述したように、顧客の宅内は、長距離ＲＦ送信を受信するためのアマチュア無線受信機を含み得る。干渉を緩和するために、顧客の地理的領域のための第２レベルのノッチマスクは、当該ＲＦ送信のためのノッチを含み得る。第２レベルのマスクが当該領域内の特定のＤＰＵによって特定される構成では、顧客にサービスを提供するＤＰＵによって特定された第２レベルのマスクと、近くのＤＰＵによって特定されたそれらは、当該ＲＦ送信のためのノッチを含み得る。マスク構築器５０は、特定の周波数が使用されているとの顧客からの要求を受信するように構成され得、それは、結果、マスクデータベースにおけるマスクを更新することができる。
【００５６】
従って、マスクデータベース５３は、各々が特定の領域のためであり、当該特定の領域において使用される周波数のみを含む、複数の第２レベルのマスクを含み得る。当業者は、第１レベルのマスクの地理的領域が第２レベルのマスクよりも大きいので、第１レベルのマスクの中のより特定の領域に対応し、当該特定の領域で使用されるＲＦサービスのみをカバーする、いくつかの第２レベルのマスクが存在することを理解する。第２レベルのノッチマスクは、その領域のための対応する識別子と共に、第２レベルのデータベース５３ｂに記憶され得る。一実施形態では、地理的領域は、特定のＤＰＵの各加入者線を包含する領域をカバーし得る。従って、この領域のためのノッチングマスクは、この領域で使用される周波数をカバーし、特定のＤＰＵを特定器として使用し得る。
【００５７】
第３レベルのマスク（一般に、顧客の宅内等の非常に小さな地理的領域に対応する）を作成するために、顧客の宅内のＲＦの環境は、直接測定され得る（これは、ＣＰＥ展開時に行ってもよい）。これは、家庭内の放送受信機との干渉がないことを確実にするために行われ得る。そして、ＣＰＥのためノッチマスクは、顧客の宅内の地理的領域にわたって使用されるそれらの周波数のみについての電力レベルを低減するように構築され得る。
【００５８】
当業者は、各地理的領域のためのノッチマスクを作成するために使用されることができる他の方法やＲＦ情報源があることを理解する。例えば、マスク構築器５０は、初期マスクを使用し、特定の地理的領域における、ＲＦ干渉イベントの分析、または、特定の無線ユーザーからの保護を求める要求に応じて、反復的にそれを更新し得る。
【００５９】
上述したように、プロセッサ５１は、加入者線とそのネットワーク要素の領域に対応するマスクを取り出すよう構成される。これは、上記実施形態において、加入者線が関連付けられる様々なネットワーク要素を特定し、当該ネットワーク要素の地理的領域に適合されたノッチマスクを取り出すプロセッサによって達成される（交換局等のより高いレベルのネットワーク要素のためのノッチマスクは、典型的に、大きな地理的領域にわたって使用される周波数をノッチアウトし、一方、ＤＰＵまたはＣＰＥ等のより低いレベルのネットワーク要素のためのノッチマスクは、典型的に、より小さい地理的領域にわたって使用される周波数をノッチアウトする）。これは、関連領域を特定し、それらの領域のために適合されたノッチマスクを生成する簡単な方法を提供する。しかし、当業者は、他の方法が本発明において使用され得ることを理解する。例えば、プロセッサ５１は、加入者線の全ての地点からＲＦ漏洩の領域（即ち、加入者線が２つのネットワーク要素に延伸するので、加入者線の周囲の領域を含む）を立案し、これらの地理的領域を特定し、マスクデータベース５３から関連するマスクを取り出すよう構成され得る。これは、マスクデータベース５３の各レベルからの１つまたは複数のマスクを含み得る。
【００６０】
上述したように、マスク構築器５０は、経時的に、各地理的領域のためノッチマスクを更新することが可能である。当業者は、各地理的領域上のＲＦの環境についての情報が定期的に更新され得（例えば、将来の測定等によって、または、ＲＦ干渉の苦情に応じて）、及び、マスク構築器５０は、次に、更新されたノッチマスクを作成し、それを、当該地理的領域の対応する識別子と共にマスクデータベース５３に記憶し得ることを理解する。その後、マスク構築器５０は、当該地理的領域のために、更新されたノッチマスクから送信スペクトルマスクを作成し、そして、それは、次の再トレーニングイベントにおいて適用されるために、ＤＰＵ３０に（自動的に、または、要求に応じて、のいずれかで）報告される。
【００６１】
当業者は、第１、第２、及び、第３レベルのマスクの全てから送信スペクトルマスクを構築することが必須ではないことを理解する。本発明は、代わりに、加入者線に関連付けられた２つだけの地理的領域を特定し、これらの２つの地理的地域のためのノッチマスクを組み合わせることによって送信スペクトルマスクを構築してもよい。ほとんどの状況では、第１レベルと第２レベルのマスクが、これらが最も大きい地理的領域をカバーし、従って、他のＲＦサービスに最も大きな影響を与えるので、最も重要である。
【００６２】
更に、当業者は、本発明の方法が、単一のプロセッシングモジュールまたは専用のユニットで実行されることは必須ではないことを理解する。即ち、様々なステップのパフォーマンスは、ネットワーク内の任意の場所に分散されてもよいいくつかのプロセッシングモジュールについて分散されることができる。また、ＰＭＥ２０を経由して送信スペクトルマスクの経路をとることは必須ではないが、ＰＭＥ２０がバックアップ目的のために送信スペクトルマスクを記憶し得る（それが専用の電源を持っている）ので、有益である。
【００６３】
上記の説明は、Ｇ．ｆａｓｔ ＤＳＬ展開に関する。これは、使用される周波数が、ＲＦ漏洩に対してより影響されやすく、また、他の一般的なＲＦサービスと重なるので、この発明のためのＤＳＬの最も妥当な形式である。しかし、当業者は、本発明が、ＤＳＬ（現在または将来のバージョン）の全ての形式に適用可能であることを理解する。例えば、本発明は、ストリートキャビネットのためのノッチマスクがマスクデータベースに記憶され得るＶＤＳＬ及びＶＤＳＬ２に同様に適用可能である。このシナリオでは、ストリートキャビネットは、送信スペクトルマスクへの要求をマスク構築器５０に転送し得、そして、それは、ストリートキャビネットのノッチマスクを使用して、ストリートキャビネットに関連する全ての加入者線のための送信スペクトルマスクを作成し得る。
【００６４】
以上の記載では、送信スペクトルマスクは、第１、第２、及び、第３レベルのノッチマスクから各周波数についての最小電力レベルをとることによって構築される。これは、他のＲＦサービスへの影響を低減するために必要な程度までの電力レベルを低減するだけという追加の利点を有する。しかし、当業者は、他の方法が、交換局、ＤＰＵ、または、ＣＰＥ、または、加入者線のＲＦの環境において他のＲＦサービスに影響を与え得る任意の周波数について、送信スペクトルマスクの電力レベルをゼロまたは無視できるレベルに単に低減することについて適用され得ることを理解する。これは、送信スペクトルマスクを計算するときに、「ＯＲ」関数を適用することによって達成され得る。
【００６５】
当業者は、特許請求の範囲に記載されたような本発明の範囲の中で、態様の任意の組み合わせが可能であることを理解する。
以下に、本願出願当初の明細書に添付された特許請求の範囲に記載の発明を付記する。
［Ｃ１］
デジタル加入者線（ＤＳＬ）のネットワークにおける送信のための電力レベルを割り当てる方法であって、前記方法は、
第１と第２の地理的領域を、前記ＤＳＬのネットワークにおける加入者線に関連付けられているものとして特定することと、
周波数の範囲上で第１の電力レベルの組を有する第１のスペクトルマスクを規定することと、ここにおいて、前記第１の電力レベルの組は、前記第１の地理的領域の無線周波数（ＲＦ）の環境に従って適合され、
前記周波数の範囲上の第２の電力レベルの組を有する第２のスペクトルマスクを規定することと、ここにおいて、前記第２の電力レベルの組は、前記第２の地理的領域のＲＦの環境に従って適合され、
前記加入者線のための送信スペクトルマスクを構築することと、ここにおいて、前記送信スペクトルマスクは、前記第１と第２のスペクトルマスクの組み合わせに基づき、前記周波数の範囲における各周波数について、前記第１と第２のスペクトルマスクからの前記周波数についての最小電力レベルを用いる、
とのステップを備えた方法。
［Ｃ２］
前記第１の地理的領域は、前記加入者線に関連付けられた第１のネットワーク要素を特定することによって特定され、
前記第２の地理的領域は、前記加入者線に関連付けられた第２のネットワーク要素を特定することによって特定される、
［Ｃ１］に記載の方法。
［Ｃ３］
前記第１のスペクトルマスクは、第１のノッチマスクであり、
前記第２のスペクトルマスクは、第２のノッチマスクであり、
前記送信スペクトルマスクは、前記第１と第２のノッチマスクの組み合わせに基づく、
［Ｃ１」または［Ｃ２］のいずれか一項に記載の方法。
［Ｃ４］
永続性管理エンティティを介して、前記ネットワーク要素の任意の１つに前記送信スペクトルマスクを転送するステップを更に備え、
前記永続性管理エンティティは、前記送信スペクトルマスクのコピーを記憶するためにメモリを有する、
［Ｃ３］に記載の方法。
［Ｃ５］
第３の地理的領域を、前記加入者線に関連付けられているものとして特定することと、
前記周波数の範囲上で第３の電力レベルの組を有する第３のスペクトルマスクを規定することと、ここにおいて、前記第３の電力レベルの組は、前記第３の地理的領域のＲＦの環境に従って適合され、
前記送信スペクトルマスクは、前記第１と第２と第３のスペクトルマスクの組み合わせである、
［Ｃ１］ないし［Ｃ４］のいずれか一項に記載の方法。
［Ｃ６］
前記第３の地理的領域は、前記加入者線に関連付けられた第３のネットワーク要素を特定することによって特定される、［Ｃ５］に記載の方法。
［Ｃ７］
前記第３のスペクトルマスクは、第３のノッチマスクであり、
前記送信スペクトルマスクは、前記第１と第２と第３のノッチマスクの組み合わせに基づく、
［Ｃ５」または［Ｃ６］のいずれか一項に記載の方法。
［Ｃ８］
前記送信スペクトルマスクを作成するステップは、
前記周波数の範囲における各周波数について、前記第１と第２と第３のスペクトルマスクからの前記周波数についての最小の電力レベルを使用することを含む、
［Ｃ５］ないし［Ｃ７］のいずれか一項に記載の方法。
［Ｃ９］
コンピュータによって実行されたとき、前記コンピュータに、［Ｃ１］ないし［Ｃ８］のいずれか一項に記載の方法のステップを実行させる、コンピュータが実行可能なコードを含むコンピュータプログラム。
［Ｃ１０］
デジタル加入者線（ＤＳＬ）のネットワークにおける送信のための電力レベルを割り当てる装置であって、前記装置は、
第１と第２の地理的領域を、前記ＤＳＬのネットワークにおける加入者線に関連付けられているものとして特定するよう適合された特定器と、
周波数の範囲上で第１の電力レベルの組を有する第１のスペクトルマスクと、前記周波数の範囲上の第２の電力レベルの組を有する第２のスペクトルマスクとを規定するよう適合されたプロセッサと、ここにおいて、前記第１の電力レベルの組は、前記第１の地理的領域の無線周波数（ＲＦ）の環境に従って適合され、ここにおいて、前記第２の電力レベルの組は、前記第２の地理的領域のＲＦの環境に従って適合され、
前記加入者線のための送信スペクトルマスクを構築するよう適合されたマスク構築器と、ここにおいて、前記送信スペクトルマスクは、前記第１と第２のスペクトルマスクの組み合わせに基づき、前記マスク構築器は、前記周波数の範囲における各周波数について、前記第１または第２のスペクトルマスクからの前記周波数についての最小電力レベルを用いることによって前記スペクトルマスクを構築するよう適合される、
を備えた装置。
［Ｃ１１］
前記特定器は、
前記加入者線に関連付けられた第１のネットワーク要素を特定することによって前記第１の地理的領域を特定し、
前記加入者線に関連付けられた第２のネットワーク要素を特定することによって前記第２の地理的領域を特定する、
ように適合された、［Ｃ１０］に記載の方法。
［Ｃ１２］
前記第１のスペクトルマスクは、第１のノッチマスクであり、
前記第２のスペクトルマスクは、第２のノッチマスクであり、
前記送信スペクトルマスクは、前記第１と第２のノッチマスクの組み合わせに基づく、
［Ｃ１０］または［Ｃ１１］のいずれか一項に記載の方法。
［Ｃ１３］
永続性管理エンティティを介して、前記ネットワーク要素の任意の１つに前記送信スペクトルマスクを転送するための送信機を更に備え、
前記永続性管理エンティティは、前記送信スペクトルマスクのコピーを記憶するためにメモリを有する、
［Ｃ１０］ないし［Ｃ１２］のいずれか一項に記載の装置。
［Ｃ１４］
前記特定器は、更に、第３の地理的領域を、前記加入者線に関連付けられているものとして特定するよう適合され、
前記プロセッサは、前記周波数の範囲上で第３の電力レベルの組を規定するよう構成され、
ここにおいて、前記第３の電力レベルの組は、前記第３の地理的領域のＲＦの環境に従って適合され、
前記送信スペクトルマスクは、前記第１と第２と第３のスペクトルマスクの組み合わせである、
［Ｃ１０］ないし［Ｃ１３］のいずれか一項に記載の装置。
［Ｃ１５］
前記特定器は、前記加入者線に関連付けられた第３のネットワーク要素を特定することによって前記第３の地理的領域を特定するよう適合される、［Ｃ１４］に記載の装置。
［Ｃ１６］
前記第３のスペクトルマスクは、第３のノッチマスクであり、
前記送信スペクトルマスクは、前記第１と第２と第３のノッチマスクの組み合わせに基づく、
［Ｃ１４］または［Ｃ１５］のいずれか一項に記載の装置。
［Ｃ１７］
前記送信スペクトルマスク構築器は、
前記周波数の範囲における各周波数について、前記第１または第２または第３のスペクトルマスクのいずれかからの前記周波数についての最小の電力レベルを使用することによって、前記送信スペクトルマスクを構築するよう適合される、
［Ｃ１５］ないし［Ｃ１６］のいずれか一項に記載の装置。
【図１】
0006275919.tif 000002
【図２】
0006275919.tif 000003
【図３】
0006275919.tif 000004
【図４】
0006275919.tif 000005